(57)【特許請求の範囲】
【請求項１】
複数のブレードを有したインペラと、周囲に配置された複数の静翼を有するエアガイドと、これらを内包し中央に吸気口を有したファンケースと、インペラを回転駆動する電動機を備え、前記吸気口に、途中に短い円筒形で通路断面積を拡大する拡大部を有した消音器を取着した電動送風機。
【請求項２】
複数のブレードを有したインペラと、周囲に配置された複数の静翼を有するエアガイドと、これらを内包し中央に吸気口を有したファンケースと、インペラを回転駆動する電動機とを備えた電動送風機であって、前記ファンケースの外周に防音筒を圧入固着して前記電動送風機の後部を覆うと共に、当該防音筒に排気口を設け、この防音筒の排気口に、途中に短い円筒形で通路断面積を拡大する拡大部を有した消音器を設けた電動送風機。
【請求項３】
複数のブレードを有したインペラと、周囲に配置された複数の静翼を有するエアガイドと、これらを内包し中央に吸気口を有したファンケースと、インペラを回転駆動する電動機から成り、ファンケースの前部を覆うと共に吸気口Ａを有する防音筒を備え、前記防音筒吸気口Ａに、途中に短い円筒形で通路断面積を拡大する拡大部を有した消音器を有した電動送風機。
【請求項４】
複数のブレードを有したインペラと、周囲に配置された複数の静翼を有するエアガイドと、これらを内包し中央に吸気口を有したファンケースと、インペラを回転駆動する電動機から成り、電動送風機全体を覆うと共に前後に吸気口Ｂと排気口を有する防音筒とを備え、前記吸気口Ｂ、排気口のそれぞれに、途中に短い円筒形で通路断面積を拡大する拡大部を有した消音器を設けた電動送風機。
【請求項５】
複数のブレードを有したインペラと、周囲に配置された複数の静翼を有するエアガイドと、これらを内包し中央に吸気口を有したファンケースと、インペラを回転駆動する電動機から成り、電動機の排気口に、途中に短い円筒形で通路断面積を拡大する拡大部を有した消音器を取着した電動送風機。
【請求項６】
塵挨吸引用の電動送風機と、塵埃を捕集する集塵室と、前記集塵室に連通する吸い込み部と、前記電動送風機の排気を排出する本体排気口を備え、前記排気口に、途中に短い円筒形で通路断面積を拡大する拡大部を有した消音器を設置した電気掃除機。
【請求項７】
電動送風機を請求項１〜５のいずれか１項記載の電動送風機とした、請求項６記載の電気掃除機。
【請求項８】
塵埃を捕集する集塵室と、前記集塵室に連通するように接続される吸い込み部と、請求項１〜５のいずれか１項記載の電動送風機を備えた電気掃除機。
【発明の詳細な説明】
【０００１】
【発明の属する技術分野】
本発明は、電動送風機及びそれを利用した電気掃除機に関するものである。
【０００２】
【従来の技術】
以下に従来の電動送風機について図１２に基づいて説明する。
【０００３】
１はインペラ本体であり中央に吸気口１ａを有しており、複数枚のブレード２を板金製の後シュラウド３とこれに対向する板金製の前シュラウド４で挟持し構成している。５はインペラ本体１を駆動する電動機で、６は複数の静翼７を設けたエアガイドで、隣り合う静翼７間でボリュート室８を形成している。９はインペラ本体１とエアガイド６を内包し、かつ電動機５の外周に気密に取り付けられた中央部に吸気口１０を有するファンケースである。１３は電動送風機全体を１２は電動機排気口を示している。
【０００４】
以上の構成における動作について説明すると、インペラ本体１が電動機５により高速回転すると、インペラ本体１の吸込口１ａから流入した空気流は、ブレード２で回転運動エネルギを与えられ、インペラ本体１外周部から排出される。さらに空気流はエアガイド６に形成された複数の静翼７で形成されるボリュート室８を通過しながら減速し運動エネルギを静圧に変換し、その後電動機５内部を通過し電動機５のフレーム１１に設けられた。電動機排気口１２より排出される。
【０００５】
【発明が解決しようとする課題】
この電動送風機１３において、ブレード２の枚数は有限のため内部を通過する気流に圧力脈動を生じる。そしてこの脈動の周波数はインペラ本体１の毎秒回転数とブレード枚数の積で表わされる。
【０００６】
気流の脈動は、脈動周波数及びその高調波成分を有する大きな騒音となり、吸気口１０及び電動機排気口１２から外部へ伝搬する。これら騒音は、ブレード枚数を増やすあるいは、インペラ本体１とエアガイド６の静翼７との距離を大きくするなどして圧力脈動を緩和して低減するが、いずれも電動送風機１３の効率を悪くする。他の性能への影響を小さくしかつ騒音を低減する事が電動送風機を家電機器に使用する際の大きな課題になっている。
【０００７】
本発明は上記課題を解決し、電動送風機の損失を増大させずに、騒音を低減することを目的とするものである。
【０００８】
【課題を解決するための手段】
上記目的を達成するために本発明は、複数のブレードを有したインペラと、周囲に配置された複数の静翼を有するエアガイドと、これらを内包し中央に吸気口を有したファンケースと、インペラを回転駆動する電動機を備え、前記吸気口に、途中に短い円筒形で通路断面積を拡大する拡大部を有した消音器を取着した電動送風機を実現することにより、気流通路の圧力損失を増加させずに、電動送風機で発生する気流の脈動に起因する特定周波数の騒音を共鳴を利用して消音でき、低騒音で高効率な機器を実現できる。
【０００９】
【発明の実施の形態】
本発明の請求項１に記載の発明は、複数のブレードを有したインペラと、周囲に配置された複数の静翼を有するエアガイドと、これらを内包し中央に吸気口を有したファンケースと、インペラを回転駆動する電動機を備え、前記吸気口に、途中に短い円筒形で通路断面積を拡大する拡大部を有した消音器を取着した電動送風機を実現することにより、電動送風機の効率を低下させることなく集塵室から透過する風きり音の低減が可能になる。
【００１０】
本発明の請求項２に記載の発明は、複数のブレードを有したインペラと、周囲に配置された複数の静翼を有するエアガイドと、これらを内包し中央に吸気口を有したファンケースと、インペラを回転駆動する電動機とを備えた電動送風機であって、前記ファンケースの外周に防音筒を圧入固着して前記電動送風機の後部を覆うと共に、当該防音筒に排気口を設け、この防音筒の排気口に、途中に短い円筒形で通路断面積を拡大する拡大部を有した消音器を設けた電動送風機を実現することにより、電動送風機の効率を低下させることなく、掃除機の本体排気口から伝搬する風きり音を低減できる。
【００１１】
本発明の請求項３に記載の発明は、複数のブレードを有したインペラと、周囲に配置された複数の静翼を有するエアガイドと、これらを内包し中央に吸気口を有したファンケースと、インペラを回転駆動する電動機から成り、ファンケースの前部を覆うと共に吸気口Ａを有する防音筒を備え、前記防音筒吸気口Ａに、途中に短い円筒形で通路断面積を拡大する拡大部を有した消音器を有した電動送風機を実現することにより、更に効果的に吸気側から伝搬する風きり音を低減でき、しかも電動送風機の損失を増やすことも無い。
【００１２】
本発明の請求項４に記載の発明は、複数のブレードを有したインペラと、周囲に配置された複数の静翼を有するエアガイドと、これらを内包し中央に吸気口を有したファンケースと、インペラを回転駆動する電動機から成り、電動送風機全体を覆うと共に前後に吸気口Ｂと排気口を有する防音筒とを備え、前記吸気口Ｂ、排気口のそれぞれに、途中に短い円筒形で通路断面積を拡大する拡大部を有した消音器を設けた電動送風機を実現することにより、吸気側、排気側から伝搬する風きり音を両者とも効果的に低減でき、より広い使用条件で騒音が低減でき、又電動送風機の損失に与える影響も少ない。
【００１３】
本発明の請求項５に記載の発明は、複数のブレードを有したインペラと、周囲に配置された複数の静翼を有するエアガイドと、これらを内包し中央に吸気口を有したファンケースと、インペラを回転駆動する電動機から成り、電動機の排気口に、途中に短い円筒形で通路断面積を拡大する拡大部を有した消音器を取着した電動送風機を実現することにより、電動送風機の効率を低下させることなく、コンパクトな形状で風きり音を低減できる。
【００１４】
本発明の請求項６に記載の発明は、塵挨吸引用の電動送風機と、塵埃を捕集する集塵室と、前記集塵室に連通する吸い込み部と、前記電動送風機の排気を排出する本体排気口を備え、前記排気口に、途中に短い円筒形で通路断面積を拡大する拡大部を有した消音器を設置した電気掃除機を実現することにより、より簡単な構造で安価に風きり音の低減が可能になる。
【００１５】
本発明の請求項７に記載の発明は、電動送風機を請求項１〜５のいずれか１項記載の電動送風機とした、請求項６記載の電気掃除機を実現することにより、消音器を２段に構成することができ風きり音の低減効果をより大きくすることができる。
【００１６】
本発明の請求項８に記載の発明は、塵埃を捕集する集塵室と、前記集塵室に連通するように接続される吸い込み部と、請求項１〜５のいずれか１項記載の電動送風機を備えた電気掃除機を実現することにより、風きり音の小さな電気掃除機を実現できる。
【００１７】
【実施例】
（実施例１）
以下本発明の第１の実施例を図１、図２を用いて説明する。図１は電動送風機並びにインペラを、図２は、消音器の拡大図をそれぞれ示す。
【００１８】
２０は電動送風機１３のインペラ本体であり、複数枚のブレード２１を板金製の後シュラウド２２とこれに対向する板金製の前シュラウド２３で挟持し構成している。２０ａはインペラ本体２０の吸い込み口を示している。
【００１９】
２４はインペラ本体２０を駆動する電動機を示し、固定子２９を内包したフレーム３０、ブラケット３１に、回転子３２を固着した回転軸２５を軸受け前３３、軸受け後３４を介して支持することにより構成されている。４４は電力を回転子３２に供給するための整流子であり、回転軸２５に固着されている。４５はフレームに固定されたブラシを示す。すなわち、この電動機２４は交流整流子型の電動機である。その回転軸２５の先端部には、インペラ本体２０が固着されている。２６は複数の静翼２７を設けたエアガイドで、インペラ本体２０の周囲に、インペラ本体２０の外周と近接して設置され、ブラケット３１に載置されている。
【００２０】
２８はインペラ本体２０とエアガイド２６を内包し、かつ電動機２４のブラケット３１の外周に気密に取り付けられ、中央部に吸気口２８ａを有するファンケースである。ファンケース２８の内面２８ｂは前記静翼２７の上端部２７ａと当接し、かつ隣り合う静翼２７間で独立したボリュート室３５を形成している。
【００２１】
ファンケース２８の吸気口２８ａには円筒形消音器３８が固定されている。図２に示すようにこの円筒形消音器３８は、板金で作られたファンケース２８の吸気口２８ａに挿入される筒部２８ｄと筒部２８ｄと一体に形成された円盤状の取り付け部２８ｃと取り付け部２８ｃの周囲に、圧入固定される管部４０ａと円板部４０ｂからなる消音器前部４０から成り、途中に、長さの短い、円板形の拡大部４１が構成される。
【００２２】
以上の構成における動作について説明すると、インペラ本体２０が電動機２４により高速回転すると、円筒形消音器３８を通り、インペラ本体２０の吸込口２０ａから流入した空気流は、ブレード２１で回転運動エネルギを与えられ、インペラ本体２０外周部から排出される。さらに空気流はエアガイド２６に形成された複数の静翼２７で形成されるボリュート室３５を通過しながら減速し運動エネルギを静圧に変換し、エアガイド裏面の戻り通路３６を通り、ブラケット３１の連通孔４２を通り、その後電動機２４内部を通過し電動機２４のフレーム３０に設けられた電動機排気口４３より排出される。
【００２３】
この電動送風機３９において、ブレード２１の枚数は有限のため内部を通過する気流に圧力脈動を生じる。そしてこの脈動の周波数はインペラ本体２０の毎秒回転数とブレード枚数の積で表わされる。
【００２４】
インペラ（動翼）２０、とその周りに静翼２７を配置したファンでは、有限枚数のインペラ２０と同じく有限枚数の静翼２７それぞれの枚数の組み合わせにより干渉音が生じ、特定の伝搬モードを有した高次モード波が生じやすくなる。特に最近この種の電動送風機１３は小型化のための高速化がすすみ、発生する周波数自身も高くなり、高次モード波が伝搬しやすくなっている。
【００２５】
音波を減衰させるためには、通常その伝搬通路の中に断面積を急拡大させる拡大部を設ける事がよくあるが、通常の平面波に近い音では拡大部の長さが必要であり、そのため、流路としての圧力損失が大きくなり、又大きな設置スペースが必要になる。
【００２６】
特開平４―６６７１１号公報、日本機会学会論文集５９巻５６８号Ｃ編「ダクト壁に設けた細いスリットによる高次モード波を含む円形ダクト内音波の消音」等の文献にも明らかなように、本実施例のように高次モード波として伝搬する音波は平面波と違い、周方向に一様でなく正弦波的な分布を有している。平面波が半波長以上のスリット幅すなわち拡大部４１の長さが必要なのに比べ、高次モード波のように分布した音波の伝搬に影響を与えるには細いスリット（拡大部４１の長さＬ）でも原理的に可能であり、スリットの幅は波長の１／１０程度で充分な効果が期待でき１／１００程度でも数ｄＢの効果はあらわれる。又拡大部４１の径方向の内径寸法Ｄとは、伝搬する音波の１／４波長あるいはその整数倍付近のスリット深さを有しておれば音波が伝搬しにくくなる。
【００２７】
高次モード波として伝搬するこの種のファン騒音は、吸気口２８ａ及び電動機排気口４３から外部へ伝搬する。本発明では、吸気口２８ａ部分に円筒形消音器３８がファンケース２８に設けられているため上記圧力変動に起因する高次モード波の風きり音が減衰、消音される。すなわち吸気口２８ａから伝搬する風きり音は円筒形消音器２８の途中にある円筒形拡大部４１でその位相が反転し、圧力脈動を緩和し風きり音を低減する。又円筒形拡大部４１の径を調整することにより位相が反転する周波数を調整することが可能である。本実施例では円筒形拡大部４１の溝深さに比べその幅は１／５程度に設定されている。この程度の幅では気流の乱れは殆ど無く電動送風機３９の効率に悪影響を与えない。又円筒形消音器３８はファンケース２８に固着されるため組立隙間が生じたり、管部４０ａと吸気口２８ａの軸芯がずれたりする事による空気性能への悪影響も無い。
【００２８】
（実施例２）
以下本発明の第２の実施例を図３を用いて説明する。なお、上記第１の実施例と同一の部分は同一番号を付してその説明を省略する。
【００２９】
５０は電動送風機３９の後部を覆う防音筒を示し、前部の開口端５０ｂがファンケース２８の外周に圧入固着され、後部に排気口５０ａが設けられ、さらに排気口５０ａに、途中に短い円筒形の通路面積を拡大させる拡大部５１を設けた円筒形の消音器５２が挿入固着されている。消音器５２は、入り口管部５３、円筒形拡大部５１、出口管部５４から構成されている。
【００３０】
次に動作について述べる。消音の基本原理は実施例１で述べたとおりであるが本実施例では電動機排気口３６から伝搬する騒音は、防音筒５０内で一旦拡大消音される。しかし、この時点ではブレード２１の枚数と毎秒回転数の積で決まる周波数を持つ高次モード波は減衰されず、又新たなモード波が防音筒５０内で形成され、排気口５０ａへと伝搬する。このとき排気口５０ａに取り付けた消音器５２の働きで、上記高次モード波の風きり騒音は減衰し、機器本体に設けた排気側への伝搬が低減される。前述したとおり消音の原理は実施例１に述べた内容と同一であるが、本実施例では電動機排気口４３から防音筒５０へ排気されるときの急拡大により圧力脈動が緩和され更に消音器の効果が足されるため、消音効果は大きくなる。
【００３１】
又図４は、他の例を示すもので、ファンケース２８を覆うように吸気口２８ａ側に吸気側防音筒５５を設け、前記吸気側防音筒５５の上部中央に設けた吸気口Ａ５５ａに円筒形消音器５２を設ければ、吸気側へ伝搬する風きり騒音が低減され、その消音効果は実施例１の場合より吸気側防音筒５５で拡大消音される分、効果のある周波数範囲が広くなる。
【００３２】
さらに、図５に示すように電動送風機３９全体を覆う防音筒５７を設置し、吸気側の吸気口Ｂ５７ａと排気側の排気口５７ｂの両方に入り口管部５３、出口管部５４、短い拡大部５１から成る円筒形消音器５２を設置しても良く、吸排気両側へ伝搬する風きり音を大幅に低減できる。
【００３３】
なお、上記実施例では、円筒形消音器５２を防音筒の外方に取り付けたが図６に示すように、防音筒５０の内側に円筒形消音器５２を設けても効果は同一である。
【００３４】
（実施例３）
次に本発明の第３の実施例を図７を用いて説明する。上記実施例と同一の部分は同一番号を付してその説明を省略する。
【００３５】
６２は、入り口管部５９と、出口管部６０の途中に短い円筒形の拡大部５８を有した円筒形消音器を示し、円形の電動機排気口６１に挿入固着されている。この電動機排気口６１はフレーム３０側面の対称な位置２カ所に設けられており円筒形消音器６２もそれぞれに設置されている。４４、２５は電動機排気口６１から見える整流子、回転軸を示す。４５はブラシを示す。
【００３６】
電動機排気口６１からの排気は圧力脈動に起因する風きり騒音が伝搬するが、本実施例ではその電動送風機３９の一部又は全体を覆う防音筒を使用せず、電動機排気口６１に直接円筒形消音器６２が固着されているため、風きり音を効率よく低減でき、しかもコンパクトに構成できる。
【００３７】
消音の原理は実施例１の中で記述したとおりであるが、電動機排気口６１に伝搬する圧力脈動に起因する風きり騒音は高次モード波であるため、電動機排気口６１での音波分布は一様では無く、短い円筒形の拡大部５８を有した消音器で充分な消音効果が発生する。
【００３８】
（実施例４）
次に本発明の第４の実施例を図８を用いて説明する。
【００３９】
６３は電気掃除機を示し、電動送風機３９、集塵用紙袋６４を内包した掃除機本体６８と、塵埃を吸引する吸い込み部６５と、掃除機本体と接続する延長管６６、ホース６７より構成される。掃除機本体６８は、集塵用紙袋６４を内包する集塵室６９と電動送風機３９を内包する電動機室７１から構成される。電動送風機３９は弾性体７０で吸排気のシールを行い同時に本体に防振支持している。７２は電動送風機３９のフレーム３０に設けられた電動機排気口、７３は本体内の排気通路で、この排気通路７３は本体排気口７４に連通している。本実施例では本体排気口７４に、入り口管部７７と出口管部７８の途中に短い円筒形の拡大部７６を有した円筒形消音器７５が設けられている。
【００４０】
動作について説明する。電気掃除機に通電し運転すると電動送風機３９により吸引力が働き吸い込み部６５より塵埃が吸引され、集塵室６９で塵埃が分離された後排気は、電動機排気口７２、排気通路７３を経て本体排気口７４に至り外部に排出される。電動送風機３９で発生する特定の周波数を有した風きり音は、この排気と共に伝搬する。この種の騒音は周波数が高く、排気通路７３の径方向寸法は波長に比べ充分に小さくなく、又元々高次モード波であるため、本体排気口７４ではその音波は均一一様な分布をせず、高次モード波に似通った分布をする。
【００４１】
本実施例では本体排気口７４に円筒形消音器７５が取り付けてあり、この高次モード波に似通った騒音を効果的に低減ができる。電気掃除機は、塵埃の量、床面の状態などにより、吸引される流量が変化すると共に電動送風機３９の回転数も変化し、風きり音の周波数は使用状態によって様々に変化する。このため掃除機本体６８、排気通路７３の空間で前記風きり音が共鳴する事がしばしば起こるがこの共鳴周波数に会わせて円筒形消音器７５の拡大部７６の径を設定すればより効果的に風きり音を低減できる。
【００４２】
また、図９に示すように、実施例１〜５に示すような途中に短い拡大部８０ａを設けた円筒型消音器８０を有した電動送風機３９を電気掃除機６３内に組み込めば、風きり音の小さな掃除機が実現できる。７９は格子状開口部を有した本体の排気口である。
【００４３】
さらに、図１０の様に途中に短い拡大部８１ａを設けた円筒型消音器Ａ８１を備えた電動送風機３９を電気掃除機６３に搭載し、しかも電気掃除機６３の本体排気口８２に同様の短い拡大部８３ａを設けた円筒型消音器Ｂ８３を設置すればより効果的に風きり音を低減できることは云うまでもない。
【００４４】
又、円筒形消音器Ａ８１、円筒形消音器Ｂ８３の大きさを変え、効果の発生する周波数域を違えておけばより幅広い範囲で風きり音の低減が可能になる。
【００４５】
図１１の様に電動送風機３９を防音筒８４で覆い、この排気口８５に途中に短い拡大部８６ａを設けた円筒形消音器Ａ８６を取り付け、しかも電気掃除機６３の本体排気口８２に同様の短い拡大部８３ａを設けた円筒型消音器Ｂ８３を設置すれば図１０に示す例と同様に効果的に風きり音を低減できる。
【００４６】
【発明の効果】
本発明の請求項１に記載の発明は、複数のブレードを有したインペラと、周囲に配置された複数の静翼を有するエアガイドと、これらを内包し中央に吸気口を有したファンケースと、インペラを回転駆動する電動機を備え、前記吸気口に、途中に短い円筒形で通路断面積を拡大する拡大部を有した消音器を取着した電動送風機とすることにより、吸気側に伝搬する、特定の周波数を有した風きり音を低減でき、しかも気流の圧力損失も殆ど生じない。
【００４７】
本発明の請求項２に記載の発明は、複数のブレードを有したインペラと、周囲に配置された複数の静翼を有するエアガイドと、これらを内包し中央に吸気口を有したファンケースと、インペラを回転駆動する電動機とを備えた電動送風機であって、前記ファンケースの外周に防音筒を圧入固着して前記電動送風機の後部を覆うと共に、当該防音筒に排気口を設け、この防音筒の排気口に、途中に短い円筒形で通路断面積を拡大する拡大部を有した消音器を設けた電動送風機とすることにより、排気から伝搬する風きり音を効果的に低減でき、しかも気流により圧力損失も殆ど生じない。
【００４８】
本発明の請求項３に記載の発明は、複数のブレードを有したインペラと、周囲に配置された複数の静翼を有するエアガイドと、これらを内包し中央に吸気口を有したファンケースと、インペラを回転駆動する電動機から成り、ファンケースの前部を覆うと共に吸気口Ａを有する防音筒を備え、前記防音筒吸気口Ａに、途中に短い円筒形で通路断面積を拡大する拡大部を有した消音器を有した電動送風機とする事により、ファンケースの吸気口から伝搬する風きり音は、いったん防音筒内部で拡大消音され、その後円筒型消音器で更に消音されるため、効果的に風きり音の低減が可能になる。又気流の圧力損失も殆ど生じず、効率の良い、低騒音の電動送風機が実現できる。
【００４９】
本発明の請求項４に記載の発明は、複数のブレードを有したインペラと、周囲に配置された複数の静翼を有するエアガイドと、これらを内包し中央に吸気口を有したファンケースと、インペラを回転駆動する電動機から成り、電動送風機全体を覆うと共に前後に吸気口Ｂと排気口を有する防音筒とを備え、前記吸気口Ｂ、排気口のそれぞれに、途中に短い円筒形で通路断面積を拡大する拡大部を有した消音器を設けた電動送風機とすることにより、吸気側、排気側から伝搬する風きり音両者とも効果的に消音することができ、効率の良いしかも幅広い条件で使用可能な低騒音の電動送風機を実現できる。
【００５０】
本発明の請求項５に記載の発明は、複数のブレードを有したインペラと、周囲に配置された複数の静翼を有するエアガイドと、これらを内包し中央に吸気口を有したファンケースと、インペラを回転駆動する電動機から成り、電動機の排気口に、途中に短い円筒形で通路断面積を拡大する拡大部を有した消音器を取着した電動送風機とすることにより、コンパクトな形状で、排気側から伝搬する風きり音の低減ができ、効率の良い低騒音でコンパクトな電動送風機が実現できる。
【００５１】
本発明の請求項６に記載の発明は、塵挨吸引用の電動送風機と、塵埃を捕集する集塵室と、前記集塵室に連通する吸い込み部と、前記電動送風機の排気を排出する本体排気口を備え、前記排気口に、途中に短い円筒形で通路断面積を拡大する拡大部を有した消音器を設置した電気掃除機とすることにより、風きり音が小さく、コンパクトで効率のよい電気掃除機を実現できる。
【００５２】
本発明の請求項７に記載の発明は、電動送風機を請求項１〜５のいずれか１項記載の電動送風機とした、請求項６記載の電気掃除機とする事により、風きり音が伝搬する経路に複数の消音器を設置することができ、幅広い周波数範囲で風きり音の低減ができ、更に静音な電気掃除機を実現できる。
【００５３】
本発明の請求項８に記載の発明は、塵埃を捕集する集塵室と、前記集塵室に連通するように接続される吸い込み部と、請求項１〜５のいずれか１項記載の電動送風機を備えた電気掃除機とすることにより、風きり音の小さい掃除機を実現できる。
【図面の簡単な説明】
【図１】  （ａ）本発明の第１の実施例を示す電動送風機のインペラ、エアガイドを示す平面断面図
（ｂ）同電動送風機の断面図
【図２】  （ａ）同電動送風機に取着された円筒型消音器の平面図
（ｂ）同円筒型消音器の断面図
（ｃ）同円筒型消音器の分解図
【図３】  （ａ）本発明の第２の実施例を示す電動送風機の断面図
（ｂ）同電動送風機の後面図
【図４】  （ａ）他の実施例を示す電動送風機の平面図
（ｂ）同電動送風機の断面図
【図５】  （ａ）他の実施例を示す電動送風機の断面図
（ｂ）同電動送風機の後面図
【図６】  （ａ）他の実施例を示す電動送風機の断面図
（ｂ）同電動送風機の後面図
【図７】  （ａ）本発明の第３の実施例を示す電動送風機の正面図
（ｂ）同電動送風機の側面図
【図８】  本発明の第４の実施例を示す電気掃除機の部分断面図
【図９】  他の実施例を示す電気掃除機の部分断面図
【図１０】  他の実施例を示す電気掃除機の部分断面図
【図１１】  他の実施例を示す電気掃除機の部分断面図
【図１２】  （ａ）従来の電動送風機のインペラ、エアガイドを示す平面断面図
（ｂ）同電動送風機の断面図
【符号の説明】
２０    インペラ本体
２１    ブレード
２４    電動機
２６    エアガイド
２７    静翼
２８    ファンケース
３８    円筒形消音器
３９    電動送風機
４１    拡大部
４２    連通孔
４３    電動機排気口
５０    防音筒
５０ａ  防音音筒排気口
５１    拡大部
５２    円筒形の消音器
５３    入り口管部
５４    出口管部
５５    吸気側防音筒
５５ａ  吸気口Ａ
５６    円筒形消音器
５７    防音筒
５７ａ  吸気口Ｂ
５７ｂ  排気口
５８    拡大部
６１    電動機排気口
６２    円筒形消音器
６３    電気掃除機
６５    吸い込み部
６９    集塵室
７４    本体排気口
７５    円筒形消音器
７６    拡大部
７９    本体排気口
８０    円筒型消音器
８０ａ  拡大部
８１    円筒型消音器Ａ
８１ａ  拡大部
８２    本体排気口
８３    円筒型消音器Ｂ
８３ａ  拡大部
８４    防音筒
８５    排気口
８６    円筒型消音器
８６ａ  拡大部
【図１】
0003724265.tif 000002
【図２】
0003724265.tif 000003
【図３】
0003724265.tif 000004
【図４】
0003724265.tif 000005
【図５】
0003724265.tif 000006
【図６】
0003724265.tif 000007
【図７】
0003724265.tif 000008
【図８】
0003724265.tif 000009
【図９】
0003724265.tif 000010
【図１０】
0003724265.tif 000011
【図１１】
0003724265.tif 000012
【図１２】
0003724265.tif 000013